(57)【要約】【課題】本発明は、簡単な構成により、コストの増加を抑えて、検出板の水平方向への設置位置を検査することを目的とするものである。【解決手段】検査治具１１は、検査時に検出スイッチ８に取り付けられるフレーム１２と、フレーム１２に支持されている着色材保持部１３とを有している。着色材保持部１３は、着色材を保持している。着色材保持部１３は、検査時に、フレーム１２を検出スイッチ８に取り付けることにより、検出溝８ａ内に配置される。また、着色材保持部１３は、検査時に、検出板７への着色材の付着の有無により、検出スイッチ８に対する検出板７の水平方向への設置位置が適正な範囲内であるかどうかを知らせる。【選択図】図４
2017190194.tif 000002
【特許請求の範囲】
【請求項１】
昇降路内に設置される検出板、
かごの走行時に前記検出板が通る検出溝が設けられており、前記かごに搭載されて前記検出板を検出する検出スイッチ、及び
前記検出スイッチに対する前記検出板の水平方向への設置位置の検査時に前記検出スイッチに取り付けられる検査治具
を備え、
前記検査治具は、着色材を保持し前記検査時に前記検出溝内に配置される着色材保持部を有しており、前記検査時に、前記検出板への前記着色材の付着の有無及び付着位置の少なくともいずれか一方により、前記検出スイッチに対する前記検出板の水平方向への設置位置が適正な範囲内であるかどうかを知らせるエレベータの着床装置。
【請求項２】
前記検査治具は、前記着色材保持部を支持しており、前記検査時に前記検出スイッチに取り付けられるフレームをさらに有している請求項１記載のエレベータの着床装置。
【請求項３】
前記フレームは、
前記検出溝の互いに対向する内壁面に接する一対の側面部と、
前記側面部の端部間を繋ぎ、前記検出溝の底部に挿入される繋ぎ部と、
前記側面部の上端から外側へ突出し、前記検出溝の上縁部に接する一対の上フランジ部と、
前記側面部の下端から外側へ突出し、前記検出溝の下縁部に接する一対の下フランジ部と
を有している請求項２記載のエレベータの着床装置。
【請求項４】
前記フレームは、
前記検出溝の上端部に挿入されるコ字形の挿入部と、
前記挿入部の上端から外側へ突出し、前記検出溝の上縁部に載せられることにより前記挿入部を前記検出溝内に支持するフランジ部と
を有している請求項２記載のエレベータの着床装置。
【請求項５】
前記検出板は、一対の鉛直な検出板側面と、前記検出溝の底面に対向する検出板先端面とを有しており、
前記着色材保持部は、前記検出板の水平方向への設置位置が適正な範囲内である場合に、前記一対の検出板側面と前記検出板先端面とにそれぞれ対向する請求項１から請求項４までのいずれか１項に記載のエレベータの着床装置。
【請求項６】
前記検出板は、一対の鉛直な検出板側面を有しており、
前記着色材保持部は、
前記検出板の水平方向への設置位置が適正な範囲内である場合に前記一対の検出板側面にそれぞれ対向する一対の側面着色部と、
前記検出板の水平方向への設置位置が適正な範囲内である場合に前記検出溝の底面側の前記検出板の先端部が接触する先端着色部と
を有しており、
前記先端着色部は、前記検出板の通過を許容するように分割されている請求項１から請求項４までのいずれか１項に記載のエレベータの着床装置。
【請求項７】
昇降路内に設置されている検出板と、かごに搭載されており、かつ前記かごの走行時に前記検出板が通る検出溝が設けられており、前記検出板を検出する検出スイッチとを備えているエレベータの着床装置に、前記検出スイッチに対する前記検出板の水平方向への設置位置の検査時に取り付けられる検査治具であって、
前記検査時に前記検出スイッチに取り付けられるフレーム、及び
前記フレームに支持されており、かつ着色材を保持しており、前記検査時に前記検出溝内に配置される着色材保持部
を備え、
前記検査時に、前記検出板への前記着色材の付着の有無及び付着位置の少なくともいずれか一方により、前記検出スイッチに対する前記検出板の水平方向への設置位置が適正な範囲内であるかどうかを知らせるエレベータの着床装置の検査治具。
【発明の詳細な説明】
【技術分野】
【０００１】
この発明は、昇降路に設置される検出板と、検出板を非接触で検出する検出スイッチとを有するエレベータの着床装置、及びその検査治具に関するものである。
【背景技術】
【０００２】
従来のエレベータの着床装置の設置位置判定装置は、光電センサの溝底部の中央に設けられる反射式距離計測センサを有している。反射式距離計測センサは、光電センサの光軸と直交する方向における遮蔽板の各部位に対する反射波を検出し、遮蔽板の各部位との距離を計測する（例えば、特許文献１参照）。
【先行技術文献】
【特許文献】
【０００３】
【特許文献１】特開２０１５−１６９１９号公報
【発明の概要】
【発明が解決しようとする課題】
【０００４】
上記のような従来の設置位置判定装置では、反射式距離計測センサの追加により機器コストが増加する。また、反射式距離計測センサの取り付け及びセンサケーブルの配線作業に手間がかかる。
【０００５】
この発明は、上記のような課題を解決するためになされたものであり、簡単な構成により、コストの増加を抑えて、検出スイッチに対する検出板の水平方向への設置位置を検査することができるエレベータの着床装置及びその検査治具を得ることを目的とする。
【課題を解決するための手段】
【０００６】
この発明に係るエレベータの着床装置は、昇降路内に設置される検出板、かごの走行時に検出板が通る検出溝が設けられており、かごに搭載されて検出板を検出する検出スイッチ、及び検出スイッチに対する検出板の水平方向への設置位置の検査時に検出スイッチに取り付けられる検査治具を備え、検査治具は、着色材を保持し検査時に検出溝内に配置される着色材保持部を有しており、検査時に、検出板への着色材の付着の有無及び付着位置の少なくともいずれか一方により、検出スイッチに対する検出板の水平方向への設置位置が適正な範囲内であるかどうかを知らせる。
【０００７】
この発明のエレベータの着床装置は、検査治具が、着色材を保持し検査時に検出溝内に配置される着色材保持部を有しており、検査時に、検出板への着色材の付着の有無及び付着位置の少なくともいずれか一方により、検出スイッチに対する検出板の水平方向への設置位置が適正な範囲内であるかどうかを知らせるので、簡単な構成により、コストの増加を抑えて、検出板の水平方向への設置位置を検査することができる。
【図面の簡単な説明】
【０００８】
【図１】この発明の実施の形態１によるエレベータの要部を示す正面図である。
【図２】図１の着床装置を示す平面図である。
【図３】図２の着床装置の設置位置の検査時の状態を示す平面図である。
【図４】図３の検出スイッチ及び検査治具を拡大して示す平面図である。
【図５】図４の検出スイッチ及び検査治具を示す正面図である。
【図６】図４の検査治具を示す平面図である。
【図７】図６の検査治具を示す正面図である。
【図８】図６の検査治具を示す側面図である。
【図９】この発明の実施の形態２によるエレベータの着床装置の検出スイッチ及び検査治具を示す平面図である。
【図１０】図９の検出スイッチ及び検査治具を示す正面図である。
【図１１】図９の検査治具を示す平面図である。
【図１２】図１１の検査治具を示す正面図である。
【図１３】図１１の検査治具を示す側面図である。
【図１４】この発明の実施の形態３による検査治具を示す平面図である。
【図１５】図１４の検査治具を用いた検査において、検出板の設置位置が適正な範囲内である場合の検出板の着色状態を示す側面図である。
【図１６】図１４の検出板先端面と検出溝の底面との間隔が適正な範囲よりも小さい状態を示す平面図である。
【図１７】図１６の状態で検査を行った場合の検出板の着色状態を示す側面図である。
【図１８】図１４の検出板先端面と検出溝の底面との間隔が適正な範囲よりも大きい状態を示す平面図である。
【図１９】図１８の状態で検査を行った場合の検出板の着色状態を示す側面図である。
【図２０】図１４の一方の検出板側面と検出溝の一方の内壁面との間隔が適正な範囲よりも小さい状態を示す平面図である。
【図２１】図２０の状態で検査を行った場合の検出板の着色状態を示す側面図である。
【発明を実施するための形態】
【０００９】
以下、この発明を実施するための形態について、図面を参照して説明する。
実施の形態１．
図１はこの発明の実施の形態１によるエレベータの要部を示す正面図である。図において、昇降路１内には、一対のかごガイドレール２ａ，２ｂが設置されている。かご３は、かごガイドレール２ａ，２ｂに沿って昇降路１内を昇降する。
【００１０】
また、かご３は、かご枠４及びかご枠４に支持されているかご室５を有している。かご枠４は、一対のかご枠柱４ａ，４ｂと、かご枠柱４ａ，４ｂの上端部間に固定されているかご上梁４ｃとを有している。
【００１１】
かご上梁４ｃには、かご３を吊り下げる懸架体６の第１の端部が接続されている。懸架体６としては、複数本のロープ又は複数本のベルトが用いられている。懸架体６の第２の端部には、釣合おもり（図示せず）が接続されている。懸架体６の中間部は、巻上機（図示せず）の駆動シーブに巻き掛けられている。かご３及び釣合おもりは、駆動シーブを回転させることにより昇降路１内を昇降する。
【００１２】
着床装置は、昇降路１内に設置されている複数の検出板７と、かご３に搭載されており、検出板７を検出する検出スイッチ８とを有している。なお、図１では、１つの停止階の検出板７のみを示している。検出板７は、それぞれ昇降路１内の停止階に対応する位置に鉛直に設置されている。また、各検出板７は、検出板支持腕９を介してかごガイドレール２ａに支持されている。
【００１３】
検出スイッチ８は、スイッチ支持腕１０を介してかご上梁４ｃに支持されている。検出スイッチ８としては、例えば、検出板７が検出光を遮ることにより検出板７を検出する光電スイッチ、又は磁界の変化により検出板７を検出する磁気センサを用いることができる。
【００１４】
図２は図１の着床装置を示す平面図である。各検出板７は、検出板支持腕９により、かごガイドレール２ａに対してかご３の前後方向、即ち図２の上下方向へずらして配置されている。また、昇降路１を真上から見たとき、全ての検出板７は、昇降路１内の同じ位置に配置されている。
【００１５】
検出スイッチ８は、スイッチ支持腕１０により、かご上梁４ｃに対して、かご３の前後方向の検出板７と同じ側へずらして配置されている。検出スイッチ８には、かご３の走行時に検出板７が通る検出溝８ａが設けられている。
【００１６】
例えばエレベータの据付時には、検出スイッチ８に対する検出板７の水平方向への設置位置が適正な範囲内であるかどうかを検査する。そして、適正な範囲から外れていた場合には、検出板７及び検出スイッチ８の少なくともいずれか一方の設置位置をずらすことにより、検出スイッチ８に対する全ての検出板７の水平方向への設置位置を適正な範囲内に収める。
【００１７】
図３は図２の着床装置の設置位置の検査時の状態を示す平面図である。着床装置は、検出スイッチ８に対する検出板７の水平方向への設置位置の検査時に検出スイッチ８に取り付けられる検査治具１１をさらに有している。
【００１８】
図４は図３の検出スイッチ８及び検査治具１１を拡大して示す平面図、図５は図４の検出スイッチ８及び検査治具１１を示す正面図、図６は図４の検査治具１１を示す平面図、図７は図６の検査治具１１を示す正面図、図８は図６の検査治具１１を示す側面図である。なお、図４では、検出板７を２点鎖線で示している。
【００１９】
検査治具１１は、検査時に検出スイッチ８に取り付けられるフレーム１２と、フレーム１２に支持されている着色材保持部１３とを有している。着色材保持部１３は、着色材を保持している。着色材としては、例えば塗料、又は朱肉が用いられる。また、着色材としては、検出板７に付着したときに目視が容易であり、かつ拭き取りが容易であるものが好適である。
【００２０】
着色材保持部１３としては、例えば布状又はスポンジ状のものが用いられる。また、着色材保持部１３としては、検出板７に接触したときに検出板７に傷を付けず容易に弾性変形するものが好適である。
【００２１】
着色材保持部１３は、検査時に、フレーム１２を検出スイッチ８に取り付けることにより、検出溝８ａ内に配置される。また、着色材保持部１３は、検査時に、検出板７への着色材の付着の有無により、検出スイッチ８に対する検出板７の水平方向への設置位置が適正な範囲内であるかどうかを知らせる。
【００２２】
各検出板７は、一対の鉛直な検出板側面７ａ，７ｂと、検出溝８ａの底面に対向する検出板先端面７ｃとを有している。
【００２３】
実施の形態１では、着色材保持部１３は、平面形状がコ字形であり、検出板７の水平方向への設置位置が適正な範囲内である場合に、一対の検出板側面７ａ，７ｂと検出板先端面７ｃとにそれぞれ隙間を介して対向する。この場合、検査治具１１の内側を検出板７が通過しても、検出板７に着色材が付着しない。
【００２４】
これに対して、検出スイッチ８に対する検出板７の相対的な設置位置が適正な範囲を外れて、検出板７の厚さ方向、即ち図４の左右方向にずれている場合、検出板側面７ａ，７ｂのいずれか一方に着色材保持部１３が接触し着色材が付着する。
【００２５】
また、検出板７の検出溝８ａへの挿入量が大き過ぎる場合、検出板先端面７ｃに着色材保持部１３が接触し着色材が付着する。
【００２６】
フレーム１２は、検出溝８ａの互いに対向する内壁面に接する一対の平板状の側面部１２ａ，１２ｂと、側面部１２ａ，１２ｂの端部間を繋ぎ、検出溝８ａの底部に挿入される平板状の繋ぎ部１２ｃと、側面部１２ａ，１２ｂの上端から外側へ突出し、検出溝８ａの上縁部に接する一対の上フランジ部１２ｄ，１２ｅと、側面部１２ａ，１２ｂの下端から外側へ突出し、検出溝８ａの下縁部に接する一対の下フランジ部１２ｆ，１２ｇとを有している。
【００２７】
フレーム１２は、検出溝８ａの底面とは反対側の端部から底面側へ向けてスライドさせることにより、検出スイッチ８に嵌め込まれる。また、フレーム１２は、繋ぎ部１２ｃが検出溝８ａの底面から離れる方向へ引き出すことにより、検出スイッチ８から取り外される。
【００２８】
着色材保持部１３は、検出板７の３面、即ち検出板側面７ａ，７ｂ及び検出板先端面７ｃを囲むように、側面部１２ａ，１２ｂ及び繋ぎ部１２ｃのそれぞれ検出スイッチ８とは反対側の面に固定されている。
【００２９】
このようなエレベータの着床装置及びその検査治具１１では、着色材を保持し検査時に検出溝８ａ内に配置される着色材保持部１３を有しており、検査時に、検出板７への着色材の付着の有無により、検出スイッチ８に対する検出板７の水平方向への設置位置が適正な範囲内であるかどうかを知らせるので、簡単な構成により、コストの増加を抑えて、検出板７の水平方向への設置位置を検査することができる。
【００３０】
即ち、検査治具１１を検出スイッチ８に取り付けるだけで、着床装置の検査を容易に実施でき、距離計測センサを用いる場合と比べて、機器コストを低減できるとともに、センサの取り付け及び配線作業もなく、据付性を向上させることができる。また、据付性の向上により、据付コストの低減及び据付工期の短縮を図ることができる。
【００３１】
さらに、かご３を昇降させるだけで、各停止階での着床装置の検査を行うことができ、作業時間を大幅に短縮できる。
【００３２】
さらにまた、検出溝８ａにフレーム１２を挿入するだけで、検査治具１１を検出スイッチ８に容易に取り付けることができる。
【００３３】
また、着色材保持部１３が検出板７の３面を囲むように配置されているので、検出板７の３面のいずれかが着色されることにより、検出スイッチ８と検出板７との間隔が規定よりも短いことを容易に検出できる。さらに、着色材保持部１３の構造が単純であり、着色材保持部１３を容易に製作できる。
【００３４】
実施の形態２．
次に、図９はこの発明の実施の形態２によるエレベータの着床装置の検出スイッチ８及び検査治具２１を示す平面図、図１０は図９の検出スイッチ８及び検査治具２１を示す正面図、図１１は図９の検査治具２１を示す平面図、図１２は図１１の検査治具２１を示す正面図、図１３は図１１の検査治具２１を示す側面図である。なお、図９では、検出板７を２点鎖線で示している。
【００３５】
実施の形態１の検査治具１１は、検出溝８ａの全体に装着したが、実施の形態２の検査治具２１は、厚さ寸法、即ち上下方向寸法が検出スイッチ８よりも小さく、検出溝８ａの上端部のみに装着されている。
【００３６】
検査治具２１は、検査時に検出スイッチ８に取り付けられるフレーム２２と、フレーム２２に支持されている着色材保持部２３とを有している。着色材保持部２３は、着色材を保持している。着色材保持部２３及び着色材の材料は、実施の形態１と同様である。
【００３７】
フレーム２２は、検出溝８ａの上端部に挿入されるコ字形の挿入部２２ａと、挿入部２２ａの上端から外側へ突出し、検出溝８ａの上縁部に載せられることにより挿入部２２ａを検出溝８ａ内に支持するフランジ部２２ｂとを有している。他の構成は、実施の形態１と同様である。
【００３８】
このようなエレベータの着床装置によっても、実施の形態１と同様の効果を得ることができる。また、挿入部２２ａを検出溝８ａに差し込んで検査治具２１を検出スイッチ８上に載せるだけで、着色材保持部１３を検出溝８ａ内に容易に配置することができ、作業性を向上させることができる。さらに、検査治具２１を小形軽量化することができる。
【００３９】
なお、挿入部２２ａの検出溝８ａへの挿入深さ寸法は、検査治具２１の装着の容易さの点からは小さい方が好ましく、検出溝８ａの上下方向寸法の半分以下、より好ましくは１／４以下である。
【００４０】
実施の形態３．
次に、図１４はこの発明の実施の形態３による検査治具２１を示す平面図である。実施の形態３の着色材保持部２３は、検出スイッチ８に対する検出板７の水平方向への設置位置が適正な範囲内である場合に検出板側面７ａ，７ｂにそれぞれ対向する一対の側面着色部２３ａ，２３ｂと、検出板７の水平方向への設置位置が適正な範囲内である場合に検出溝８ａの底面側の検出板７の先端部が接触する先端着色部２３ｃとを有している。
【００４１】
先端着色部２３ｃは、検出板７の通過を許容するように、左右方向の中間部で分割されている。即ち、先端着色部２３ｃの中間部には、切れ目が設けられている。実施の形態３の検査治具２１は、検出板７への着色材の付着の有無及び付着位置により、検出スイッチ８に対する検出板７の水平方向への設置位置が適正な範囲内であるかどうかを知らせる。他の構成は、実施の形態２と同様である。
【００４２】
このような検査治具２１を用いた検査では、検出板７の水平方向への設置位置が適正な範囲内である場合、図１５に示すように、検出板７の先端部のみが着色部分７ｄとなる。
【００４３】
これに対して、検出板先端面７ｃと検出溝８ａの底面との間隔が適正な範囲よりも小さい場合、図１６に示すように、検出板７の先端部が先端着色部２３ｃから突出した状態で検出板７が検査治具２１を通過する。このため、図１７に示すように、検出板７の先端部から離れた位置に帯状の着色部分７ｄが形成される。
【００４４】
逆に、検出板先端面７ｃと検出溝８ａの底面との間隔が適正な範囲よりも大きい場合、図１８に示すように、検出板７の先端部が先端着色部２３ｃから離れた状態で検出板７が検査治具２１を通過する。このため、図１９に示すように、検出板７は着色されない。
【００４５】
また、検出板側面７ａ，７ｂのいずれか一方と、検出溝８ａの互いに対向する内壁面のいずれか一方との間隔が適正な範囲よりも小さい場合、図２０に示すように、検出板側面７ａ，７ｂのいずれか一方が検出溝８ａの内壁面のいずれか一方に接触する。このため、図２１に示すように、検出板側面７ａ又は７ｂの図１７よりも広い領域に着色部分７ｄが形成される。
【００４６】
このようなエレベータの着床装置によっても、実施の形態２と同様の効果を得ることができる。また、検出板先端面７ｃと検出溝８ａの底面との間隔が適正な範囲よりも小さい場合に、検出板７がどの程度ずれているかを容易に把握することができる。さらに、検出板先端面７ｃと検出溝８ａの底面との間隔が適正な範囲よりも大きいことを、より確実に検出することができる。
【００４７】
なお、実施の形態１の着色材保持部１３を実施の形態３のように構成してもよい。
また、この発明の着床装置は、機械室を有するエレベータ、機械室レスエレベータ、ダブルデッキエレベータ、共通の昇降路内に複数のかごが配置されているワンシャフトマルチカー方式のエレベータなど、あらゆるタイプのエレベータに適用できる。
【符号の説明】
【００４８】
１  昇降路、３  かご、７  検出板、７ａ，７ｂ  検出板側面、７ｃ  検出板先端面、８  検出スイッチ、８ａ  検出溝、１１，２１  検査治具、１２，２２  フレーム、１２ａ，１２ｂ  側面部、１２ｃ  繋ぎ部、１２ｄ，１２ｅ  上フランジ部、１２ｆ，１２ｇ  下フランジ部、２２ａ  挿入部、２２ｂ  フランジ部、２３ａ，２３ｂ  側面着色部、２３ｃ  先端着色部。
【図１】
2017190194.tif 000003
【図２】
2017190194.tif 000004
【図３】
2017190194.tif 000005
【図４】
2017190194.tif 000006
【図５】
2017190194.tif 000007
【図６】
2017190194.tif 000008
【図７】
2017190194.tif 000009
【図８】
2017190194.tif 000010
【図９】
2017190194.tif 000011
【図１０】
2017190194.tif 000012
【図１１】
2017190194.tif 000013
【図１２】
2017190194.tif 000014
【図１３】
2017190194.tif 000015
【図１４】
2017190194.tif 000016
【図１５】
2017190194.tif 000017
【図１６】
2017190194.tif 000018
【図１７】
2017190194.tif 000019
【図１８】
2017190194.tif 000020
【図１９】
2017190194.tif 000021
【図２０】
2017190194.tif 000022
【図２１】
2017190194.tif 000023